(57)【要約】      （修正有）【課題】ヘアトリートメント器材の技術領域に応用する超音波を備えたヘアカラートリートメントクリップの構造を提供する。【解決手段】上ハンドル１０と下ハンドル２０内にはそれぞれ、超音波回路板１６、２５、エネルギー変換器チップ１４、２４、導入板１３、２３、及び導入板固定台１２、２２を設け、上ハンドルと下ハンドルの超音波回路板、エネルギー変換器チップ及び導入板は全て、導線体によって電源導線３０と接続し、且つ、上ハンドルと下ハンドルの末端を相互に枢着し、導電後、電気エネルギーは、超音波回路板からエネルギー変換器チップに伝えられ、その後、更に導入板に伝わり超音波エネルギーを髪に導き入れ、同時にヘアカラー、ヘアトリートメント剤を髪の上に塗布することにより、簡単にヘアトリートメントが行え、スペースを節約する効果を持つものである。【選択図】図1
0003136703.tif 000002
【実用新案登録請求の範囲】
【請求項１】
一つの上ハンドル、一つの下ハンドル、一つの電源導線を含む超音波を備えたヘアカラートリートメントクリップの構造において、
該上ハンドルには、第一外殻体を設け、該第一外殻体には第一前配置空間、第一後配置空間、配置孔、及び第一枢着部を備え、該第一前配置空間は、第一導入板固定台を設ける為のものであり、該第一導入板固定台は、第一導入板をその上に固定し、該第一導入板と第一導入板固定台の向き合う面には第一エネルギー変換器チップを設け、また、第一後配置空間は、第一超音波回路板を設ける為のものであり、該第一超音波回路板には第一微動スイッチを備え、第一超音波回路板の上方には別に、一つの第一蓋板を被冠し、該第一蓋板には、第一突出エッジ嵌合孔及び第一突出エッジを備え、該第一突出エッジ嵌合孔は、第一超音波回路板に設置した第一微動スイッチの接触引導端をその内側に設ける為のものであり、また、配置孔には発光体を配置し、また、第一外殻体の第一枢着部後方には一つの第一後蓋板を被冠し、第一エネルギー変換器チップ、発光体及び第一超音波回路板は、導線体によって電源導線に接続するものであり、
該下ハンドルは、第二外殻体を含み、該第二外殻体は、第二前配置空間、第二後配置空間、及び第二枢着部を備え、該第二前配置空間は、第二導入板固定台を入れる為のものであり、該第二導入板固定台は、その上に第二導入板を固定し、該第二導入板と第二導入板固定台に向き合う面には第二エネルギー変換器チップを設け、また、第二後配置空間は、第二超音波回路板を入れる為のものであり、該第二超音波回路板には、第二微動スイッチを設け、第二超音波回路板の上方には、一つの第二蓋板を被冠し、該第二蓋板には、第二突出エッジ嵌合孔及び第二突出エッジを設け、該第二突出エッジ嵌合孔の内側には、第二超音波回路板に設けた第二微動スイッチの接触引導端を入れ、その第二突出エッジと上ハンドルの第一蓋板に設けた第一突出エッジ嵌合孔が対応し、第二突出エッジ嵌合孔と上ハンドルの第一蓋板に設けた第一突出エッジが対応しており、また、第二枢着部と上ハンドルの第一枢着部は相互に嵌合し、第二枢着部の一側面には一つの枢軸外蓋板を貫通し、第二枢着部のもう一方側面には一つの外蓋板を被冠しており、枢軸外蓋板上には弾性体を嵌設することにより、該上ハンドルと該下ハンドルをお互いに枢着させ、また、第二外殻体の第二枢着部後方には、一つの第二外蓋板を被冠し、並びに、第二エネルギー変換器チップ及び第二超音波回路板を導線体によって電源導線に接続するものであり、
該電源導線は、導線体により、第一外殻体に内設した第一エネルギー変換器チップ、発光体、第一超音波回路板、及び、第二外殻体に内設した第二エネルギー変換器チップと第二超音波回路板に接続することを特徴とする、超音波を備えたヘアカラートリートメントクリップの構造。
【請求項２】
前記第一導入板、前記第二導入板は、粘着剤によって、前記第一エネルギー変換器チップ、前記第二エネルギー変換器チップと結合して固定することを特徴とする、請求項１記載の超音波を備えたヘアカラートリートメントクリップの構造。
【請求項３】
一つの上ハンドル、一つの下ハンドル、一つの電源導線を含む超音波を備えたヘアカラートリートメントクリップの構造において、
該上ハンドルには、第一外殻体を設け、該第一外殻体には、第一前配置空間、第一後配置空間、配置孔、及び第一枢着部を備えており、その第一前配置空間は、導入板固定台を設置するためのものであり、該導入板固定台は、その上に導入板を固定し、該導入板と導入板固定台の向き合う面にはエネルギー変換器チップを設け、また、第一後配置空間は、超音波回路板を設ける為のものであり、該超音波回路板には微動スイッチを設け、超音波回路板の上方には一つの第一蓋板を被冠し、該第一蓋板には、突出エッジ嵌合孔を設け、該突出エッジ嵌合孔は、超音波回路板に設けた微動スイッチの接触引導端をその内側に設置する為のものであり、また、配置孔には、発光体を配置し、また、第一外殻体の第一枢着部の後方には一つの第一後蓋板を被冠し、エネルギー変換器チップ、発光体、及び超音波回路板は、導線体によって電源導線に接続するものであり、
該下ハンドルには、第二外殻体を設け、該第二外殻体には第二前配置空間、第二後配置空間、及び第二枢着部を備えており、該第二前配置空間は、発光体回路板を配置する為のもので、該第二前配置空間の上方には一つの発光体固定台を被冠し、発光体固定台は中空状であり、該中空箇所には光透過板を設け、また、該第二後配置空間は、発光体制御板を入れる為のものであり、該発光体制御板にはスイッチ体を備え、該第二後配置空間の上方には、一つの第二蓋板を被冠し、該第二蓋板には突出体を設け、該突出体は、上ハンドルの第一蓋板に設けた突出エッジ嵌合孔に対応しており、また、該第二枢着部は上ハンドルの第一枢着部と相互嵌合し、第二枢着部の一側面には一つの枢軸外蓋板を貫通させ、並びに、第二枢着部のもう一方側には一つの外蓋板を被冠し、枢軸外蓋板上には弾性体を嵌設することにより、該上ハンドルと該下ハンドルは相互に枢着し、また、第二外殻体の第二枢着部後方には一つの第二後蓋板を被冠、並びに、発光体制御板と発光体回路板は導線体によって電源導線に接続するものであり、
該電源導線は、導線体によって、第一外殻体内に設けたエネルギー変換器チップ、発光体、超音波回路板、及び、第二外殻体に内設した発光体制御板、発光体回路板に接続することを特徴とする、超音波を備えたヘアカラートリートメントクリップの構造。
【請求項４】
前記導入板は、粘着剤によって前記エネルギー変換器チップと結合して固定することを特徴とする、請求項３記載の超音波を備えたヘアカラートリートメントクリップの構造。
【考案の詳細な説明】
【技術分野】
【０００１】
本考案は、超音波を備えたヘアカラートリートメントクリップの構造に関するものであり、特に、ヘアトリートメント器材の技術領域に応用するものである。
【背景技術】
【０００２】
現在公知のヘアトリートメント装置は、図８に示すとおりであり、それは、基本体５０、サポート体５１、カバー体５２及び液体ストック筒５３により構成され、まず、液体ストック筒５３中にヘアトリートメント剤（図示せず）を入れ、使用者は、カバー体５２を頭の上に載せ、基本体５０により蒸気体を発生させたヘアトリートメント剤を髪の上に導き入れるものであるが、下記のような問題が存在する。
１．スペースを取る：全体構造が大きすぎる故、その設置及び使用において、大面積が必要となる。
２．不便な使用：それはヘアトリートメント装置をまず先に定位し、更にカバー体を使用者の頭部に載せた後、操作スイッチをコントロールするものであり、その使用順序は煩雑で非常に不便である。
３．自己操作が不可能：カバー体を使用者の頭部に載せた後、操作スイッチをコントロールする故、使用者はこの装置を自己操作できない。
【考案の開示】
【考案が解決しようとする課題】
【０００３】
本考案の上述問題に鑑み、公知のヘアトリートメント装置の、スペースを取り、不便な使用、自己操作が不可能という問題を解決すべく、本考案の超音波を備えたヘアカラートリートメントクリップの構造を完成させた。
【課題を解決するための手段】
【０００４】
本考案の主な目的は、超音波を備えたヘアカラートリートメントクリップの構造を提供することにある。それは、上ハンドル及び下ハンドルにより構成されたもので、その上ハンドルと下ハンドルには、超音波回路板、エネルギー変換器チップ、及び導入板を内設、超音波回路板の導電後、エネルギー変換器チップに伝えられて電気エネルギーを超音波エネルギーに変換し、更に、導入板から髪に導き出すものであり、上ハンドルと下ハンドルの超音波回路板及びエネルギー変換器チップはどちらも、その導線体によって電源導線を接続し、並びに、上ハンドルと下ハンドルの末端を相互に枢着、導電後は、超音波エネルギーを髪に導入するのと同時に、ヘアカラー、ヘアトリートメント剤を髪に塗布することにより、簡単に使用でき、スペースを節約する効果を持つヘアカラートリートメントクリップの構造である。
【考案の効果】
【０００５】
以上説明したように、本考案のヘアカラートリートメントクリップの構造は、簡単に使用でき、スペースを節約できるという効果がある。
【考案を実施するための最良の形態】
【０００６】
貴審査委員の方々に更に本考案の構造、特徴、及びその他を御理解していただく為に、次の良好な実施例において図面を伴い詳細に説明を行うが、これらの図面によって説明した実施例は説明をする為のものであり、実用新案申請内容を制限するものでは決してないことを付け加える。
【実施例１】
【０００７】
図１から図３に示したのは、本考案の超音波を備えたヘアカラートリートメントクリップの構造に関する立体組合せ、分解及び断面状態の見取図であり、それは、一つの上ハンドル１０、一つの下ハンドル２０、一つの電源導線３０を含む。
【０００８】
本考案に含まれる該上ハンドル１０は、第一外殻体１１を含み、該第一外殻体１１には第一前配置空間１１０、第一後配置空間１１１、配置孔１１２及び第一枢着部１１３を備える。
該第一前配置空間１１０は、第一導入板固定台１２を設ける為のものであり、該第一導入板固定台１２は、その上に第一導入板１３を固定し、該第一導入板１３と第一導入板固定台１２の向き合う面には第一エネルギー変換器チップ１４を設ける。
また、第一後配置空間１１１は、第一超音波回路板１６を設ける為のものであり、該第一超音波回路板１６には第一微動スイッチ１６０を備え、第一超音波回路板１６の上方には別に、一つの第一蓋板１７を被冠、該第一蓋板１７には、第一突出エッジ嵌合孔１７０及び第一突出エッジ１７１を備え、該第一突出エッジ嵌合孔１７０の内側には、第一超音波回路板１６に設置した第一微動スイッチ１６０の接触引導端を設ける。
配置孔１１２には発光体１５を配置し、第一外殻体１１の第一枢着部１１３後方には一つの第一後蓋板１８を被冠し、第一エネルギー変換器チップ１４、発光体１５及び第一超音波回路板１６は、導線体３１によって電源導線３０に接続する。
【０００９】
本考案に含まれる該下ハンドル２０は、第二外殻体２１を含み、該第二外殻体２１は、第二前配置空間２１０、第二後配置空間２１１及び第二枢着部２１２を備えている。
該第二前配置空間２１０は、第二導入板固定台２２を入れる為のものであり、該第二導入板固定台２２はその上に第二導入板２３を固定し、該第二導入板２３と第二導入板固定台２２の向き合う面には第二エネルギー変換器チップ２４を設ける。
また、第二後配置空間２１１は、第二超音波回路板２５を設ける為のものであり、該第二超音波回路板２５には、第二微動スイッチ２５０を設け、第二超音波回路板２５の上方には、一つの第二蓋板２６を被冠し、該第二蓋板２６には、第二突出エッジ嵌合孔２６０及び第二突出エッジ２６１を設け、該第二突出エッジ嵌合孔２６０は、その内側に第二超音波回路板２５に設けた第二微動スイッチ２５０の接触引導端を入れ、その第二突出エッジ２６１は、上ハンドル１０の第一蓋板１７に設けた第一突出エッジ嵌合孔１７０と対応しており、第二突出エッジ嵌合孔２６０は、上ハンドル１０の第一蓋板１７に設けた第一突出エッジ１７１と対応している。
また、第二枢着部２１２は、上ハンドル１０の第一枢着部１１３に対応して嵌合し、第二枢着部２１２の一側面には一つの枢軸外蓋板２７を貫通させ、第二枢着部２１２のもう一方側面には一つの外蓋板２８を被冠する。枢軸外蓋板２７上には弾性体２７０を嵌設させて、上ハンドル１０と下ハンドル２０の相互を枢着する。また、第二外殻体２１の第二枢着部２１２後方には、一つの第二外蓋板２８を被冠し、並びに、第二エネルギー変換器チップ２４及び第二超音波回路板２５を導線体３１によって電源導線３０に接続する。
【００１０】
本考案に含まれる該電源導線３０は、導線体３１によって、第一外殻体１１に内設した第一エネルギー変換器チップ１４、発光体１５、第一超音波回路板１６、及び、第二外殻体２１に内設した第二エネルギー変換器チップ２４と第二超音波回路板２５に接続する。
【００１１】
上述構造の組み合わせにより、本考案の超音波を備えたヘアカラートリートメントクリップの構造は完成する。
【００１２】
図４に、本考案の超音波を備えたヘアカラートリートメントクリップの構造の使用状態参考図を示す。上ハンドル１０には、第一エネルギー変換器チップ１４、発光体１５及び第一超音波回路板１６を内設する。また、下ハンドル２０には、第二エネルギー変換器チップ２４及び第二超音波回路板２５を内設し、該第一エネルギー変換器チップ１４、第二エネルギー変換器チップ２４はそれぞれ、粘着剤によって、第一導入板１３、第二導入板２３と結合する。上ハンドル１０と下ハンドル２０が、クリップ時に互いにぶつかった場合、上ハンドル１０の第一蓋板１７に設けた第一突出エッジ嵌合孔１７０及び第一突出エッジ１７１は、下ハンドル２０の第二蓋板２６に設けた第二突出エッジ嵌合孔２６０及び第二突出エッジ２６１に嵌合し、該第一蓋板１７上に設けた第一突出エッジ１７１は、下ハンドル２０に内設した第二超音波回路板２５の微動スイッチ２５０に接触してそれを動かすと、電源は第二超音波回路板２５に導入され、更に、第二エネルギー変換器チップ２４に伝えられると、伝わった電気エネルギーが超音波エネルギーに変換されて、第二導入板２３に伝導される。また、第二蓋板２６上に設けた第二突出エッジ２６１が、上ハンドル内の第一超音波回路板１６の第一微動スイッチ１６０に接触してそれを動かすと、電源は第一超音波回路板１６に導入され、更に第一エネルギー変換器チップ１４に伝わり、伝えられた電気エネルギーを超音波エネルギーに変換して第一導入板１３に伝導される。また、第一導入板１３、第二導入板２３は、変換した超音波エネルギーを髪に導き入れ、同時に、髪にヘアカラー、ヘアトリートメント剤を塗布することにより、簡単操作でスペースを節約する効果を発揮する。
【実施例２】
【００１３】
図５と図６には、本考案の超音波を備えたヘアカラートリートメントクリップの構造の実施例２参考図を示す。それは、一つの上ハンドル１０、一つの下ハンドル２０、及び一つの電源導線３０により構成される。
本考案に含まれる該上ハンドル１０には、第一外殻体１１を設け、該第一外殻体１１には第一前配置空間１１０、第一後配置空間１１１、配置孔１１２及び第一枢着部１１３を設ける。その第一前配置空間１１０は、導入板固定台１２を設置するためのものであり、該導入板固定台１２は、その上に導入板１３を固定し、該導入板１３と導入板固定台１２の向き合う面にはエネルギー変換器チップ１４を設ける。第一後配置空間１１１は、超音波回路板１６を設ける為のものであり、該超音波回路板１６は微動スイッチ１６０を設け、別の超音波回路板１６の上方には一つの第一蓋板１７を被冠し、該第一蓋板１７には、突出エッジ嵌合孔１７０を設け、該突出エッジ嵌合孔１７０の内側には、超音波回路板１６に設けた微動スイッチ１６０の接触引導端を設置し、配置孔１１２には、発光体１５を配置し、第一外殻体１１の第一枢着部１１３の後方には一つの第一後蓋板１８を被冠し、エネルギー変換器チップ１４、発光体１５及び超音波回路板１６は、導線体３１によって電源導線３０に接続する。
【００１４】
本考案に含まれる該下ハンドル２０には、第二外殻体２１を設け、該第二外殻体２１には第二前配置空間２１０、第二後配置空間２１１及び第二枢着部２１２を備える。
第二前配置空間２１０は、発光体回路板４２を配置する為のものであり、該第二前配置空間２１０の上方には一つの発光体固定台４３を被冠、発光体固定台４３は中空状であり、該中空箇所には光透過板４３０を設ける。
第二後配置空間２１１は、発光体制御板４０を入れる為のものであり、該発光体制御板４０にはスイッチ体４００を備え、該第二後配置空間２１１の上方には、一つの第二蓋板４１を被冠し、該第二蓋板４１には突出体４１０を設け、該突出体４１０は、上ハンドル１０の第一蓋板１７に設けた突出エッジ嵌合孔１７０に対応している。
第二枢着部２１２は、上ハンドル１０の第一枢着部１１３と相互に嵌合するが、第二枢着部２１２の一側面には一つの枢軸外蓋板２６を貫通させ、並びに、第二枢着部２１２のもう一方側には一つの外蓋板２７を被冠し、枢軸外蓋板２６上には弾性体２６０を嵌設することにより、上ハンドル１０と下ハンドル２０の相互を枢着し、また、第二外殻体２１の第二枢着部２１２後方には一つの第二後蓋板２８を被冠、且つ、発光体制御板４０と発光体回路板４２を導線体３１によって電源導線３０に接続する。
【００１５】
本考案に含まれる該電源導線３０は、導線体３１によって、第一外殻体１１内に設けたエネルギー変換器チップ１４、発光体１５、超音波回路板１６、及び、第二外殻体２１内に設けた発光体制御板４０、発光体回路板４２に接続する。
【００１６】
図７には、本考案の超音波を備えたヘアカラートリートメントクリップの構造の実施例２の使用状態参考図を示す。上ハンドル１０には、エネルギー変換器チップ１４、発光体１５及び超音波回路板１６を内設し、下ハンドル２０には、発光体回路板４２及び発光体制御板４０を内設する。該下ハンドル２０に内設した発光体回路板４２は、発光体制御板４０に設けたスイッチ体４００を動かすことによって、電源を通して発光体回路板４２に光源を発せさせる（未図示）ものであり、上ハンドル１０と下ハンドル２０を挟み込んだ場合、下ハンドル２０の第二蓋板４１上に設けた突出体４１０が、上ハンドル１０の第一蓋板１７上に設けた突出エッジ嵌合孔１７０に嵌合すると、第二蓋板４１上に設けた突出体４１０は、突出エッジ嵌合孔１７０内に設けた超音波回路板１６の微動スイッチ１６０を動かして、電源が超音波回路板１６に導入され、エネルギー変換器チップ１４に伝えられた電流は、超音波エネルギーに変換され、並びに、導入板１３から髪に導き出され、同時に髪の上にヘアカラー、ヘアトリートメント剤を塗布することにより、簡単操作でスペースを取らない効果を達成する。
【００１７】
本考案の効果は次のとおりである。
１．スペースを節約：全体構造が小さい故、その收納及び使用上において効果的にスペース節約する。
２．使用が便利：超音波のヘアカラートリートメントクリップと使用者の毛髪を挟みこむだけであり、挟み込むのと同時に、超音波のヘアカラートリートメントクリップを駆動すると導電状態となり、即、ヘアカラートリートメント作業が行え、使用において非常に便利である。
３．自分で操作可能：使用者はただ手だけで、本超音波のヘアカラートリートメントクリップを制御することができ、他人の力を借りずに、ヘアカラートリートメントを行うことができる。
【００１８】
上述したとおり、本考案は、確実に上述の諸効果及び目的を達成するものであり、よって、本考案は実用新案登録条件に符合する故、ここに法に拠り実用新案登録出願を行う。
【図面の簡単な説明】
【００１９】
【図１】本考案の立体組合せ状態の見取図である。
【図２】本考案の立体分解状態の見取図である。
【図３】本考案の断面状態の見取図である。
【図４】本考案の使用状態の参考図である。
【図５】本考案の実施例２に関する立体分解状態の見取図である。
【図６】本考案の実施例２に関する断面状態の見取図である。
【図７】本考案の実施例２に関する使用状態の参考図である。
【図８】公知の参考図である。
【符号の説明】
【００２０】
１０    上ハンドル
１１    第一外殻体
１１０  第一前配置空間
１１１  第一後配置空間
１１２  配置孔
１１３  第一枢着部
１２    第一導入板固定台
１３    第一導入板
１４    第一エネルギー変換器チップ
１５    発光体
１６    第一超音波回路板
１６０  第一微動スイッチ
１７    第一蓋板
１７０  第一突出エッジ嵌合孔
１７１  第一突出エッジ
１８    第一後蓋板
２０    下ハンドル
２１    第二外殻体
２１０  第二前配置空間
２１１  第二後配置空間
２１２  第二枢着部
２２    第二導入板固定台
２３    第二導入板
２４    第二エネルギー変換器チップ
２５    第二超音波回路板
２５０  第二微動スイッチ
２６    第二蓋板
２６０  第二突出エッジ嵌合孔
２６１  第二突出エッジ
２７    枢軸外蓋板
２７０  弾性体
２８    外蓋板
２９    第二後蓋板
３０    電源導線
３１    導線体
４２    発光体回路板
４３    発光体固定台
４３０  光透過板
４０    発光体制御板
４００  スイッチ体
４１    第二蓋板
４１０  突出体
５０    基本体
５１    サポート体
５２    カバー体
５３    液体ストック筒
【図１】
0003136703.tif 000003
【図２】
0003136703.tif 000004
【図３】
0003136703.tif 000005
【図４】
0003136703.tif 000006
【図５】
0003136703.tif 000007
【図６】
0003136703.tif 000008
【図７】
0003136703.tif 000009
【図８】
0003136703.tif 000010
【手続補正書】
【提出日】平成19年8月24日(2007.8.24)
【手続補正１】
【補正対象書類名】実用新案登録請求の範囲
【補正対象項目名】全文
【補正方法】変更
【補正の内容】
【実用新案登録請求の範囲】
【請求項１】
一つの上ハンドル、一つの下ハンドル、一つの電源導線を含むヘアカラートリートメントクリップの構造において、
該上ハンドルには、第一外殻体を設け、該第一外殻体には第一前配置空間、第一後配置空間、配置孔、及び第一枢着部を備え、該第一前配置空間は、第一導入板固定台を設ける為のものであり、該第一導入板固定台は、第一導入板をその上に固定し、該第一導入板と第一導入板固定台の向き合う面には第一エネルギー変換器チップを設け、また、第一後配置空間は、第一超音波回路板を設ける為のものであり、該第一超音波回路板には第一微動スイッチを備え、第一超音波回路板の上方には別に、一つの第一蓋板を被冠し、該第一蓋板には、第一突出エッジ嵌合孔及び第一突出エッジを備え、該第一突出エッジ嵌合孔は、第一超音波回路板に設置した第一微動スイッチの接触引導端をその内側に設ける為のものであり、また、配置孔には発光体を配置し、また、第一外殻体の第一枢着部後方には一つの第一後蓋板を被冠し、第一エネルギー変換器チップ、発光体及び第一超音波回路板は、導線体によって電源導線に接続するものであり、
該下ハンドルは、第二外殻体を含み、該第二外殻体は、第二前配置空間、第二後配置空間、及び第二枢着部を備え、該第二前配置空間は、第二導入板固定台を入れる為のものであり、該第二導入板固定台は、その上に第二導入板を固定し、該第二導入板と第二導入板固定台に向き合う面には第二エネルギー変換器チップを設け、また、第二後配置空間は、第二超音波回路板を入れる為のものであり、該第二超音波回路板には、第二微動スイッチを設け、第二超音波回路板の上方には、一つの第二蓋板を被冠し、該第二蓋板には、第二突出エッジ嵌合孔及び第二突出エッジを設け、該第二突出エッジ嵌合孔の内側には、第二超音波回路板に設けた第二微動スイッチの接触引導端を入れ、その第二突出エッジと上ハンドルの第一蓋板に設けた第一突出エッジ嵌合孔が対応し、第二突出エッジ嵌合孔と上ハンドルの第一蓋板に設けた第一突出エッジが対応しており、また、第二枢着部と上ハンドルの第一枢着部は相互に嵌合し、第二枢着部の一側面には一つの枢軸外蓋板を貫通し、第二枢着部のもう一方側面には一つの外蓋板を被冠しており、枢軸外蓋板上には弾性体を嵌設することにより、該上ハンドルと該下ハンドルをお互いに枢着させ、また、第二外殻体の第二枢着部後方には、一つの第二外蓋板を被冠し、並びに、第二エネルギー変換器チップ及び第二超音波回路板を導線体によって電源導線に接続するものであり、該電源導線は、導線体により、第一外殻体に内設した第一エネルギー変換器チップ、発光体、第一超音波回路板、及び、第二外殻体に内設した第二エネルギー変換器チップと第二超音波回路板に接続することを特徴とする、ヘアカラートリートメントクリップの構造。
【請求項２】
前記第一導入板、前記第二導入板は、粘着剤によって、前記第一エネルギー変換器チップ、前記第二エネルギー変換器チップと結合して固定することを特徴とする、請求項１記載のヘアカラートリートメントクリップの構造。
【請求項３】
一つの上ハンドル、一つの下ハンドル、一つの電源導線を含むヘアカラートリートメントクリップの構造において、
該上ハンドルには、第一外殻体を設け、該第一外殻体には、第一前配置空間、第一後配置空間、配置孔、及び第一枢着部を備えており、その第一前配置空間は、導入板固定台を設置するためのものであり、該導入板固定台は、その上に導入板を固定し、該導入板と導入板固定台の向き合う面にはエネルギー変換器チップを設け、また、第一後配置空間は、超音波回路板を設ける為のものであり、該超音波回路板には微動スイッチを設け、超音波回路板の上方には一つの第一蓋板を被冠し、該第一蓋板には、突出エッジ嵌合孔を設け、該突出エッジ嵌合孔は、超音波回路板に設けた微動スイッチの接触引導端をその内側に設置する為のものであり、また、配置孔には、発光体を配置し、また、第一外殻体の第一枢着部の後方には一つの第一後蓋板を被冠し、エネルギー変換器チップ、発光体、及び超音波回路板は、導線体によって電源導線に接続するものであり、該下ハンドルには、第二外殻体を設け、該第二外殻体には第二前配置空間、第二後配置空間、及び第二枢着部を備えており、該第二前配置空間は、発光体回路板を配置する為のもので、該第二前配置空間の上方には一つの発光体固定台を被冠し、発光体固定台は中空状であり、該中空箇所には光透過板を設け、また、該第二後配置空間は、発光体制御板を入れる為のものであり、該発光体制御板にはスイッチ体を備え、該第二後配置空間の上方には、一つの第二蓋板を被冠し、該第二蓋板には突出体を設け、該突出体は、上ハンドルの第一蓋板に設けた突出エッジ嵌合孔に対応しており、また、該第二枢着部は上ハンドルの第一枢着部と相互嵌合し、第二枢着部の一側面には一つの枢軸外蓋板を貫通させ、並びに、第二枢着部のもう一方側には一つの外蓋板を被冠し、枢軸外蓋板上には弾性体を嵌設することにより、該上ハンドルと該下ハンドルは相互に枢着し、また、第二外殻体の第二枢着部後方には一つの第二後蓋板を被冠、並びに、発光体制御板と発光体回路板は導線体によって電源導線に接続するものであり、
該電源導線は、導線体によって、第一外殻体内に設けたエネルギー変換器チップ、発光体、超音波回路板、及び、第二外殻体に内設した発光体制御板、発光体回路板に接続することを特徴とする、ヘアカラートリートメントクリップの構造。
【請求項４】
前記導入板は、粘着剤によって前記エネルギー変換器チップと結合して固定することを特徴とする、請求項３記載のヘアカラートリートメントクリップの構造。
【手続補正２】
【補正対象書類名】明細書
【補正対象項目名】全文
【補正方法】変更
【補正の内容】
【考案の詳細な説明】
【技術分野】
【０００１】
本考案は、ヘアカラートリートメントクリップの構造に関するものであり、特に、ヘアトリートメント器材の技術領域に応用するものである。
【背景技術】
【０００２】
現在公知のヘアトリートメント装置は、図８に示すとおりであり、それは、基本体５０、サポート体５１、カバー体５２及び液体ストック筒５３により構成され、まず、液体ストック筒５３中にヘアトリートメント剤（図示せず）を入れ、使用者は、カバー体５２を頭の上に載せ、基本体５０により蒸気体を発生させたヘアトリートメント剤を髪の上に導き入れるものであるが、下記のような問題が存在する。
１．スペースを取る：全体構造が大きすぎる故、その設置及び使用において、大面積が必要となる。
２．不便な使用：それはヘアトリートメント装置をまず先に定位し、更にカバー体を使用者の頭部に載せた後、操作スイッチをコントロールするものであり、その使用順序は煩雑で非常に不便である。
３．自己操作が不可能：カバー体を使用者の頭部に載せた後、操作スイッチをコントロールする故、使用者はこの装置を自己操作できない。
【考案の開示】
【考案が解決しようとする課題】
【０００３】
本考案の上述問題に鑑み、公知のヘアトリートメント装置の、スペースを取り、不便な使用、自己操作が不可能という問題を解決すべく、本考案のヘアカラートリートメントクリップの構造を完成させた。
【課題を解決するための手段】
【０００４】
本考案の主な目的は、ヘアカラートリートメントクリップの構造を提供することにある。それは、上ハンドル及び下ハンドルにより構成されたもので、その上ハンドルと下ハンドルには、超音波回路板、エネルギー変換器チップ、及び導入板を内設、超音波回路板の導電後、エネルギー変換器チップに伝えられて電気エネルギーを超音波エネルギーに変換し、更に、導入板から髪に導き出すものであり、上ハンドルと下ハンドルの超音波回路板及びエネルギー変換器チップはどちらも、その導線体によって電源導線を接続し、並びに、上ハンドルと下ハンドルの末端を相互に枢着、導電後は、超音波エネルギーを髪に導入するのと同時に、ヘアカラー、ヘアトリートメント剤を髪に塗布することにより、簡単に使用でき、スペースを節約する効果を持つヘアカラートリートメントクリップの構造である。
【考案の効果】
【０００５】
以上説明したように、本考案のヘアカラートリートメントクリップの構造は、簡単に使用でき、スペースを節約できるという効果がある。
【考案を実施するための最良の形態】
【０００６】
貴審査委員の方々に更に本考案の構造、特徴、及びその他を御理解していただく為に、次の良好な実施例において図面を伴い詳細に説明を行うが、これらの図面によって説明した実施例は説明をする為のものであり、実用新案申請内容を制限するものでは決してないことを付け加える。
【実施例１】
【０００７】
図１から図３に示したのは、本考案のヘアカラートリートメントクリップの構造に関する立体組合せ、分解及び断面状態の見取図であり、それは、一つの上ハンドル１０、一つの下ハンドル２０、一つの電源導線３０を含む。
【０００８】
本考案に含まれる該上ハンドル１０は、第一外殻体１１を含み、該第一外殻体１１には第一前配置空間１１０、第一後配置空間１１１、配置孔１１２及び第一枢着部１１３を備える。
該第一前配置空間１１０は、第一導入板固定台１２を設ける為のものであり、該第一導入板固定台１２は、その上に第一導入板１３を固定し、該第一導入板１３と第一導入板固定台１２の向き合う面には第一エネルギー変換器チップ１４を設ける。
また、第一後配置空間１１１は、第一超音波回路板１６を設ける為のものであり、該第一超音波回路板１６には第一微動スイッチ１６０を備え、第一超音波回路板１６の上方には別に、一つの第一蓋板１７を被冠、該第一蓋板１７には、第一突出エッジ嵌合孔１７０及び第一突出エッジ１７１を備え、該第一突出エッジ嵌合孔１７０の内側には、第一超音波回路板１６に設置した第一微動スイッチ１６０の接触引導端を設ける。
配置孔１１２には発光体１５を配置し、第一外殻体１１の第一枢着部１１３後方には一つの第一後蓋板１８を被冠し、第一エネルギー変換器チップ１４、発光体１５及び第一超音波回路板１６は、導線体３１によって電源導線３０に接続する。
【０００９】
本考案に含まれる該下ハンドル２０は、第二外殻体２１を含み、該第二外殻体２１は、第二前配置空間２１０、第二後配置空間２１１及び第二枢着部２１２を備えている。
該第二前配置空間２１０は、第二導入板固定台２２を入れる為のものであり、該第二導入板固定台２２はその上に第二導入板２３を固定し、該第二導入板２３と第二導入板固定台２２の向き合う面には第二エネルギー変換器チップ２４を設ける。
また、第二後配置空間２１１は、第二超音波回路板２５を設ける為のものであり、該第二超音波回路板２５には、第二微動スイッチ２５０を設け、第二超音波回路板２５の上方には、一つの第二蓋板２６を被冠し、該第二蓋板２６には、第二突出エッジ嵌合孔２６０及び第二突出エッジ２６１を設け、該第二突出エッジ嵌合孔２６０は、その内側に第二超音波回路板２５に設けた第二微動スイッチ２５０の接触引導端を入れ、その第二突出エッジ２６１は、上ハンドル１０の第一蓋板１７に設けた第一突出エッジ嵌合孔１７０と対応しており、第二突出エッジ嵌合孔２６０は、上ハンドル１０の第一蓋板１７に設けた第一突出エッジ１７１と対応している。
また、第二枢着部２１２は、上ハンドル１０の第一枢着部１１３に対応して嵌合し、第二枢着部２１２の一側面には一つの枢軸外蓋板２７を貫通させ、第二枢着部２１２のもう一方側面には一つの外蓋板２８を被冠する。枢軸外蓋板２７上には弾性体２７０を嵌設させて、上ハンドル１０と下ハンドル２０の相互を枢着する。また、第二外殻体２１の第二枢着部２１２後方には、一つの第二外蓋板２８を被冠し、並びに、第二エネルギー変換器チップ２４及び第二超音波回路板２５を導線体３１によって電源導線３０に接続する。
【００１０】
本考案に含まれる該電源導線３０は、導線体３１によって、第一外殻体１１に内設した第一エネルギー変換器チップ１４、発光体１５、第一超音波回路板１６、及び、第二外殻体２１に内設した第二エネルギー変換器チップ２４と第二超音波回路板２５に接続する。
【００１１】
上述構造の組み合わせにより、本考案のヘアカラートリートメントクリップの構造は完成する。
【００１２】
図４に、本考案のヘアカラートリートメントクリップの構造の使用状態参考図を示す。上ハンドル１０には、第一エネルギー変換器チップ１４、発光体１５及び第一超音波回路板１６を内設する。また、下ハンドル２０には、第二エネルギー変換器チップ２４及び第二超音波回路板２５を内設し、該第一エネルギー変換器チップ１４、第二エネルギー変換器チップ２４はそれぞれ、粘着剤によって、第一導入板１３、第二導入板２３と結合する。上ハンドル１０と下ハンドル２０が、クリップ時に互いにぶつかった場合、上ハンドル１０の第一蓋板１７に設けた第一突出エッジ嵌合孔１７０及び第一突出エッジ１７１は、下ハンドル２０の第二蓋板２６に設けた第二突出エッジ嵌合孔２６０及び第二突出エッジ２６１に嵌合し、該第一蓋板１７上に設けた第一突出エッジ１７１は、下ハンドル２０に内設した第二超音波回路板２５の微動スイッチ２５０に接触してそれを動かすと、電源は第二超音波回路板２５に導入され、更に、第二エネルギー変換器チップ２４に伝えられると、伝わった電気エネルギーが超音波エネルギーに変換されて、第二導入板２３に伝導される。また、第二蓋板２６上に設けた第二突出エッジ２６１が、上ハンドル内の第一超音波回路板１６の第一微動スイッチ１６０に接触してそれを動かすと、電源は第一超音波回路板１６に導入され、更に第一エネルギー変換器チップ１４に伝わり、伝えられた電気エネルギーを超音波エネルギーに変換して第一導入板１３に伝導される。また、第一導入板１３、第二導入板２３は、変換した超音波エネルギーを髪に導き入れ、同時に、髪にヘアカラー、ヘアトリートメント剤を塗布することにより、簡単操作でスペースを節約する効果を発揮する。
【実施例２】
【００１３】
図５と図６には、本考案のヘアカラートリートメントクリップの構造の実施例２参考図を示す。それは、一つの上ハンドル１０、一つの下ハンドル２０、及び一つの電源導線３０により構成される。
本考案に含まれる該上ハンドル１０には、第一外殻体１１を設け、該第一外殻体１１には第一前配置空間１１０、第一後配置空間１１１、配置孔１１２及び第一枢着部１１３を設ける。その第一前配置空間１１０は、導入板固定台１２を設置するためのものであり、該導入板固定台１２は、その上に導入板１３を固定し、該導入板１３と導入板固定台１２の向き合う面にはエネルギー変換器チップ１４を設ける。第一後配置空間１１１は、超音波回路板１６を設ける為のものであり、該超音波回路板１６は微動スイッチ１６０を設け、別の超音波回路板１６の上方には一つの第一蓋板１７を被冠し、該第一蓋板１７には、突出エッジ嵌合孔１７０を設け、該突出エッジ嵌合孔１７０の内側には、超音波回路板１６に設けた微動スイッチ１６０の接触引導端を設置し、配置孔１１２には、発光体１５を配置し、第一外殻体１１の第一枢着部１１３の後方には一つの第一後蓋板１８を被冠し、エネルギー変換器チップ１４、発光体１５及び超音波回路板１６は、導線体３１によって電源導線３０に接続する。
【００１４】
本考案に含まれる該下ハンドル２０には、第二外殻体２１を設け、該第二外殻体２１には第二前配置空間２１０、第二後配置空間２１１及び第二枢着部２１２を備える。
第二前配置空間２１０は、発光体回路板４２を配置する為のものであり、該第二前配置空間２１０の上方には一つの発光体固定台４３を被冠、発光体固定台４３は中空状であり、該中空箇所には光透過板４３０を設ける。
第二後配置空間２１１は、発光体制御板４０を入れる為のものであり、該発光体制御板４０にはスイッチ体４００を備え、該第二後配置空間２１１の上方には、一つの第二蓋板４１を被冠し、該第二蓋板４１には突出体４１０を設け、該突出体４１０は、上ハンドル１０の第一蓋板１７に設けた突出エッジ嵌合孔１７０に対応している。
第二枢着部２１２は、上ハンドル１０の第一枢着部１１３と相互に嵌合するが、第二枢着部２１２の一側面には一つの枢軸外蓋板２６を貫通させ、並びに、第二枢着部２１２のもう一方側には一つの外蓋板２７を被冠し、枢軸外蓋板２６上には弾性体２６０を嵌設することにより、上ハンドル１０と下ハンドル２０の相互を枢着し、また、第二外殻体２１の第二枢着部２１２後方には一つの第二後蓋板２８を被冠、且つ、発光体制御板４０と発光体回路板４２を導線体３１によって電源導線３０に接続する。
【００１５】
本考案に含まれる該電源導線３０は、導線体３１によって、第一外殻体１１内に設けたエネルギー変換器チップ１４、発光体１５、超音波回路板１６、及び、第二外殻体２１内に設けた発光体制御板４０、発光体回路板４２に接続する。
【００１６】
図７には、本考案のヘアカラートリートメントクリップの構造の実施例２の使用状態参考図を示す。上ハンドル１０には、エネルギー変換器チップ１４、発光体１５及び超音波回路板１６を内設し、下ハンドル２０には、発光体回路板４２及び発光体制御板４０を内設する。該下ハンドル２０に内設した発光体回路板４２は、発光体制御板４０に設けたスイッチ体４００を動かすことによって、電源を通して発光体回路板４２に光源を発せさせる（未図示）ものであり、上ハンドル１０と下ハンドル２０を挟み込んだ場合、下ハンドル２０の第二蓋板４１上に設けた突出体４１０が、上ハンドル１０の第一蓋板１７上に設けた突出エッジ嵌合孔１７０に嵌合すると、第二蓋板４１上に設けた突出体４１０は、突出エッジ嵌合孔１７０内に設けた超音波回路板１６の微動スイッチ１６０を動かして、電源が超音波回路板１６に導入され、エネルギー変換器チップ１４に伝えられた電流は、超音波エネルギーに変換され、並びに、導入板１３から髪に導き出され、同時に髪の上にヘアカラー、ヘアトリートメント剤を塗布することにより、簡単操作でスペースを取らない効果を達成する。
【００１７】
本考案の効果は次のとおりである。
１．スペースを節約：全体構造が小さい故、その收納及び使用上において効果的にスペース節約する。
２．使用が便利：超音波のヘアカラートリートメントクリップと使用者の毛髪を挟みこむだけであり、挟み込むのと同時に、超音波のヘアカラートリートメントクリップを駆動すると導電状態となり、即、ヘアカラートリートメント作業が行え、使用において非常に便利である。
３．自分で操作可能：使用者はただ手だけで、本超音波のヘアカラートリートメントクリップを制御することができ、他人の力を借りずに、ヘアカラートリートメントを行うことができる。
【００１８】
上述したとおり、本考案は、確実に上述の諸効果及び目的を達成するものであり、よって、本考案は実用新案登録条件に符合する故、ここに法に拠り実用新案登録出願を行う。
【図面の簡単な説明】
【００１９】
【図１】本考案の立体組合せ状態の見取図である。
【図２】本考案の立体分解状態の見取図である。
【図３】本考案の断面状態の見取図である。
【図４】本考案の使用状態の参考図である。
【図５】本考案の実施例２に関する立体分解状態の見取図である。
【図６】本考案の実施例２に関する断面状態の見取図である。
【図７】本考案の実施例２に関する使用状態の参考図である。
【図８】公知の参考図である。
【符号の説明】
【００２０】
１０    上ハンドル
１１    第一外殻体
１１０  第一前配置空間
１１１  第一後配置空間
１１２  配置孔
１１３  第一枢着部
１２    第一導入板固定台
１３    第一導入板
１４    第一エネルギー変換器チップ
１５    発光体
１６    第一超音波回路板
１６０  第一微動スイッチ
１７    第一蓋板
１７０  第一突出エッジ嵌合孔
１７１  第一突出エッジ
１８    第一後蓋板
２０    下ハンドル
２１    第二外殻体
２１０  第二前配置空間
２１１  第二後配置空間
２１２  第二枢着部
２２    第二導入板固定台
２３    第二導入板
２４    第二エネルギー変換器チップ
２５    第二超音波回路板
２５０  第二微動スイッチ
２６    第二蓋板
２６０  第二突出エッジ嵌合孔
２６１  第二突出エッジ
２７    枢軸外蓋板
２７０  弾性体
２８    外蓋板
２９    第二後蓋板
３０    電源導線
３１    導線体
４２    発光体回路板
４３    発光体固定台
４３０  光透過板
４０    発光体制御板
４００  スイッチ体
４１    第二蓋板
４１０  突出体
５０    基本体
５１    サポート体
５２    カバー体
５３    液体ストック筒